(57)【要約】【課題】リモコンでインターネットテレビを制御するシステム及びその制御方法を提供すること。【解決手段】本発明に係るインターネットテレビの制御システムは、ユーザーが映像の放映を選択する場合、ユーザーにより選択された映像放映モードを受信し、且つユーザーが映像の関連情報のブラウズを選択すると、ユーザーが前記インターネットテレビ用リモコンの表示パネルに表示された番組リストから選択した番組を受信する受信モジュールと、前記映像放映モードに基づいて、前記インターネットテレビ端末に制御信号を送信して、前記インターネットテレビ端末をコントロールして映像を放映し、且つユーザーが選択した番組の関連情報の要請を前記インターネットテレビ端末に発信して、前記インターネットテレビ端末から前記番組の関連情報を得る制御モジュールと、を備える。【選択図】図３
2012170053.tif 000002
【特許請求の範囲】
【請求項１】
表示パネルを備え、且つインターネットテレビ端末に接続されるインターネットテレビ用リモコンの中で実行されるインターネットテレビの制御システムであって、
前記インターネットテレビ端末が起動された後、ユーザーが映像の放映を選択したかどうかを判断する判断モジュールと、
ユーザーが映像の放映を選択した場合、ユーザーにより選択された映像放映モードを受信し、ユーザーが映像の放映を選択しない場合であってユーザーが映像の関連情報のブラウズを選択した場合、ユーザーが前記インターネットテレビ用リモコンの表示パネルに表示された番組リストから選択した番組を受信する受信モジュールと、
前記映像放映モードに基づいて、前記インターネットテレビ端末に制御信号を送信して、前記インターネットテレビ端末をコントロールして映像を放映し、且つユーザーが選択した番組の関連情報の要請を前記インターネットテレビ端末に発信して、前記インターネットテレビ端末から前記番組の関連情報を得て、さらにユーザーがブラウズした番組情報の映像の放映を選択すると、前記インターネットテレビ端末をコントロールして、前記番組の映像を放映する制御モジュールと、
を備えることを特徴とするインターネットテレビの制御システム。
【請求項２】
前記映像放映モードは、インターネット等が搭載されていない一般的なテレビモード及びインターネットテレビモードを備えることを特徴とする請求項１に記載するインターネットテレビの制御システム。
【請求項３】
前記インターネットテレビ端末は、ネットワーク介してサーバーに接続され、前記サーバーは、前記インターネットテレビ端末にインターネットテレビ番組及びインターネットテレビ番組に関わる情報を転送することを特徴とする請求項１に記載するインターネットテレビの制御システム。
【請求項４】
前記制御モジュールは、番組の関連情報の要請を前記サーバーに発信し、且つ前記サーバーから前記番組の関連情報を得ることを特徴とする請求項３に記載するインターネットテレビの制御システム。
【請求項５】
表示パネルを備え、且つインターネットテレビ端末に接続されるインターネットテレビ用リモコンに用いられるインターネットテレビの制御方法であって、
前記インターネットテレビ端末が起動された後、ユーザーが映像の放映を選択したかどうかを判断するステップと、
ユーザーが映像の放映を選択すると、ユーザーにより選択された映像放映モードを受信し、前記インターネットテレビ端末に制御信号を送信して、前記インターネットテレビ端末を介して対応する映像を放映するステップと、
ユーザーが映像の放映を選択しない場合であってユーザーが映像に関連する情報のブラウズを選択すると、ユーザーが前記インターネットテレビ用リモコンの表示パネルに表示される番組リストから選択した番組を受信して、前記番組の関連情報の要請を前記インターネットテレビ端末に発信し、且つ前記インターネットテレビ端末から前記番組の関連情報を得て、ユーザーがブラウズした番組情報の映像の放映を選択すれば、前記インターネットテレビ端末をコントロールして前記番組の映像を放映するステップと、
を備えることを特徴とするインターネットテレビの制御方法。
【請求項６】
前記インターネットテレビ端末から前記番組の関連情報を得るステップは、
前記インターネットテレビ端末は、前記番組の関連情報の要請を受けると、この要請をそれに接続されているサーバーに転送するステップと、
前記サーバーは、この要請に基づいて、前記番組の関連情報を前記インターネットテレビ端末に発送するステップと、
前記インターネットテレビ端末は、前記番組の関連情報を前記インターネットテレビ用リモコンに転送し、前記インターネットテレビ用リモコンは、転送されてきた番組の関連情報を得るステップと、
をさらに備えることを特徴とする請求項５に記載するインターネットテレビの制御方法。
【請求項７】
ユーザーが映像の放映を選択すると、ユーザーにより選択された映像放映モードを受信し、前記インターネットテレビ端末に制御信号を送信して、前記インターネットテレビ端末に対応する映像を放映させるステップは、
前記インターネットテレビ端末は、前記制御信号を受信すると、それに接続されているサーバーに映像の要請を発信し、前記サーバーは、対応する映像を前記インターネットテレビ端末にフィードバックして、前記インターネットテレビ端末を介して前記映像を放映することを備えることを特徴とする請求項５に記載するインターネットテレビの制御方法。
【発明の詳細な説明】
【技術分野】
【０００１】
本発明は、インターネットテレビの制御システム及びその制御方法に関するものである。
【背景技術】
【０００２】
近年、映像をウェブサイト上で見ることができるサービスの発展や、ＬＣＤテレビ等の普及に伴い、人々にもっと豊富な内容の映像を提供できるよう、家電メーカーは、インターネットとテレビの融合に力を入れている。現在、高品質のテレビは、インターネットにアクセスすることができるが、インターネットで映像を見る度に、テレビ機能から特定のウェブサイトに切り替えなければならない。例えば、グーグル（登録商標）及びソニー（登録商標）が連携して開発したＧｏｏｇｌｅ（登録商標）  ＴＶも、キーボード及びマウスを利用して、上記の切替操作を行わなければならず、このような操作方法は、ユーザーにとって不便である。
【発明の概要】
【発明が解決しようとする課題】
【０００３】
以上の問題点に鑑みて、本発明は、リモコンでインターネットテレビを制御することができるシステム及びその制御方法を提供することを目的とする。
【課題を解決するための手段】
【０００４】
上記の課題を解決するために、本発明に係るインターネットテレビの制御システムは、表示パネルを備え、且つインターネットテレビ端末に接続されるインターネットテレビ用リモコンの中で実行される。前記インターネットテレビの制御システムは、ユーザーが映像の放映を選択した場合、ユーザーにより選択された映像放映モードを受信し、且つユーザーが映像の関連情報のブラウズを選択すると、ユーザーが前記インターネットテレビ用リモコンの表示パネルに表示された番組リストから選択した番組を受信する受信モジュールと、前記映像放映モードに基づいて、前記インターネットテレビ端末に制御信号を送信して、前記インターネットテレビ端末をコントロールして映像を放映し、且つユーザーが選択した番組の関連情報の要請を前記インターネットテレビ端末に発信して、前記インターネットテレビ端末から前記番組の関連情報を得て、さらにユーザーがブラウズした番組情報の映像の放映を選択すると、前記インターネットテレビ端末をコントロールして、前記番組の映像を放映する制御モジュールと、を備える。
【０００５】
また、上記の課題を解決するために、本発明に係るインターネットテレビの制御方法は、表示パネルを備え、且つインターネットテレビ端末に接続されるインターネットテレビ用リモコンに用いられる。前記インターネットテレビの制御方法は、ユーザーが映像の放映を選択すると、ユーザーにより選択された映像放映モードを受信し、前記インターネットテレビ端末に制御信号を送信して、前記インターネットテレビ端末を介して、対応する映像を放映するステップと、ユーザーが映像に関連する情報のブラウズを選択すると、ユーザーが前記インターネットテレビ用リモコンの表示パネルに表示された番組リストから選択した番組を受信して、前記番組の関連情報の要請を前記インターネットテレビ端末に発送し、且つ前記インターネットテレビ端末から前記番組の関連情報を得て、ユーザーがブラウズした番組情報の映像の放映を選択すれば、前記インターネットテレビ端末をコントロールして前記番組の映像を放映するステップと、を備える。
【発明の効果】
【０００６】
従来の技術と比較して、本発明のインターネットテレビの制御システム及び制御方法は、リモコンを利用して、従来のインターネットテレビのキーボード及びマウスに代わり、インターネットテレビを容易にコントロールすることができる。
【図面の簡単な説明】
【０００７】
【図１】本発明の実施形態に係るインターネットテレビ（ＩＰＴＶ）の制御システムの実行環境を示す図である。
【図２】図１に示した本発明の実施形態に係るインターネットテレビの制御システムの機能モジュールを示す図である。
【図３】本発明の実施形態に係るインターネットテレビの制御方法のフローチャートである。
【発明を実施するための形態】
【０００８】
図１に示したように、本発明の実施形態に係るインターネットテレビ制御システム１０は、ＩＰＴＶリモコン１の中で実行され且つ前記ＩＰＴＶリモコン１は、表示パネル１１も備える。本実施形態において、前記ＩＰＴＶリモコン１は、表示パネルを備えた任意の電子製品であり、例えば、携帯電話、音楽プレーヤー等であることができる。前記表示パネル１１は、インターネットテレビ端末２（電子装置）のテレビ番組のリスト及び映像に関する情報等を表示するために用いられる。なお、前記表示パネル１１は、タッチパネルであることが可能である。これにより、ユーザーは、前記表示パネル１１上で直接入力操作及び選択操作を行うことができる。
【０００９】
前記ＩＰＴＶリモコン１は、赤外線、無線或いはケーブル等を介して、インターネットテレビ端末２に接続される。前記インターネットテレビ端末２は、ネットワークを介してＩＰＴＶサーバー３に接続される。前記ＩＰＴＶサーバー３には、すべてのインターネットテレビ番組及びインターネットテレビ番組に関わる情報等が格納されている。本実施形態において、前記ＩＰＴＶサーバー３は、映像を見ることができるウェブサイト（例えば、ＹｏｕＴｕｂｅ）であることができる。前記インターネットテレビ端末２は、前記ＩＰＴＶリモコン１の指示に応じて、インターネットテレビ番組の放映又はインターネットテレビ番組に関わる情報を表示する。
【００１０】
なお、他の実施形態において、前記ＩＰＴＶリモコン１は、ネットワークを介して前記ＩＰＴＶサーバー３に直接接続することができる。例えば、ＷｉＦｉを介して、前記ＩＰＴＶサーバー３に接続される。前記ＩＰＴＶリモコン１は、直接前記ＩＰＴＶサーバー３へ、映像の要請或いは映像に関する情報の要請を送信した後、前記ＩＰＴＶサーバー３から、前記ＩＰＴＶサーバー３が所要する映像或いは映像に関する情報を得て、前記映像の前記インターネットテレビ端末２における放映をコントロールする。
【００１１】
本実施形態において、前記インターネットテレビ端末２は、前記ＩＰＴＶリモコン１と前記ＩＰＴＶサーバー３とが通信する時の中継局として機能する。具体的には、前記インターネットテレビ端末２は、前記インターネットテレビの制御システム１０が送信する映像の要請或いは映像に関する情報の要請を受信して、それを前記ＩＰＴＶサーバー３に転送する。前記ＩＰＴＶサーバー３は、前記要請に応じて、前記映像或いは映像に関する情報を前記ＩＰＴＶリモコン１にフィードバックした後、ユーザーは、前記ＩＰＴＶリモコン１を介して、前記インターネットテレビ端末２による映像の放映をコントロールする。
【００１２】
図２に示したように、前記インターネットテレビの制御システム１０は、判断モジュール１００、受信モジュール１０１及び制御モジュール１０２を備える。これらのモジュールは、特定の機能を有するソフトウェアのプログラムである。これらのプログラムをコンピューターの読込み可能なメモリー或いは他の記憶装置に格納し、且つコンピューター或いは他の処理ユニットを備えた電子装置を介して、それを実行することによって、本発明のインターネットテレビを制御するための流れが完成する。
【００１３】
前記判断モジュール１００は、前記インターネットテレビ端末２が起動された後、ユーザーが映像の放映を選択したかどうかを判断する。ユーザーが映像の放映を選択しなかった場合、前記判断モジュール１００は、次にユーザーが映像に関連する情報のブラウズを選択したかどうかを判断する。
【００１４】
前記受信モジュール１０１は、ユーザーが映像の放映を選択すると、ユーザーにより選択された映像放映モードを受信する。前記映像放映モードは、インターネット等が搭載されていない一般的なテレビモード及びインターネットテレビモードを含む。
【００１５】
また、前記受信モジュール１０１は、ユーザーが映像の関連情報のブラウズを選択すると、ユーザーが前記表示パネル１１に表示された番組リストから選択した番組を受信する。
【００１６】
前記制御モジュール１０２は、前記映像放映モードに基づいて、前記インターネットテレビ端末２に制御信号を送信して、前記インターネットテレビ端末２に、選択されたテレビ番組の映像を放映させる。具体的には、前記インターネットテレビ端末２は、前記制御信号を受信すると、前記ＩＰＴＶサーバー３に映像の要請を発信し、前記ＩＰＴＶサーバー３は、対応する映像を前記インターネットテレビ端末２にフィードバックして、前記インターネットテレビ端末２を介して前記映像を放映する。本実施形態において、前記選択されたテレビ番組の映像フォーマットは、ｆｌｖ、ｆ４ｖ、ｍｐ４及びｍｏｖ等であることができる。
【００１７】
また、前記制御モジュール１０２は、ユーザーが選択した番組の関連情報の要請を前記インターネットテレビ端末２に発信し、且つ前記インターネットテレビ端末２から前記番組の関連情報を得る。具体的には、前記インターネットテレビ端末２は、前記番組の関連情報の要請を受けると、この要請を前記ＩＰＴＶサーバー３に転送し、前記ＩＰＴＶサーバー３は、前記要請に基づいて、前記番組の関連情報を前記インターネットテレビ端末２に発信し、前記インターネットテレビ端末２は、前記番組の関連情報を前記ＩＰＴＶリモコン１に転送し、前記制御モジュール１０２は、転送されてきた番組の関連情報を得る。本実施形態において、前記番組の関連情報は、映像の名称、ドラマのあらすじ、出演者及び関する情報等を含む。従ってユーザーは、番組の関連情報を介して、予め番組の内容を知ることができ、この番組を見るかどうかを選択することができる。
【００１８】
前記判断モジュール１００は、ユーザーがブラウズした番組情報の映像の放映を選択したかどうかを判断する。ユーザーがブラウズした番組情報の映像の放映を選択した場合、前記制御モジュール１０２は、前記インターネットテレビ端末２に制御信号を送信して、前記インターネットテレビ端末２に、選択された番組を放映させる。一方、ユーザーがブラウズした番組情報の映像の放映を選択しない場合、ユーザーは引き続き前記番組リスト上の他の番組の関連情報をブラウズする。
【００１９】
本発明のＩＰＴＶリモコン１は、上述したモジュールの機能を備えるだけではなく、従来のＴＶリモコンの機能も備える。例えば、前記インターネットテレビ端末２の音声及び画質を調節する機能、及び番組の関連情報を見る時に画面を切り換える機能等である。
【００２０】
以下、図３を参照しながら、本発明の実施形態に係るインターネットテレビの制御方法の作業過程について詳細に説明する。
【００２１】
ステップＳ１において、前記インターネットテレビ端末２が起動された後、前記判断モジュール１００は、ユーザーが映像の放映を選択したかどうかを判断する。もしユーザーが映像の放映を選択した場合、ステップＳ２を実行する。もしユーザーが映像の放映を選択しなかった場合、ステップＳ４を実行する。
【００２２】
ステップＳ２において、前記受信モジュール１０１は、ユーザーにより選択された映像放映モードを受信する。前記映像放映モードは、インターネット等が搭載されていない一般的なテレビモード及びインターネットテレビモードを含む。
【００２３】
ステップＳ３において、前記制御モジュール１０２は、前記放映モードに基づいて、前記インターネットテレビ端末２に制御信号を送信し、前記インターネットテレビ端末２を介して選択されたテレビ番組の映像を放映する。
【００２４】
ステップＳ４において、前記判断モジュール１００は、ユーザーが映像に関連する情報のブラウズを選択したかどうかを判断する。ユーザーが映像の関連情報のブラウズを選択すると、ステップＳ５を実行する。ユーザーが映像の関連情報のブラウズを選択しなければ、作業はここで終了する。この時、ユーザーは、前記インターネットテレビ端末２をシャットダウンすることができる。
【００２５】
ステップＳ５において、前記受信モジュール１０１は、ユーザーが前記表示パネル１１に表示された番組リストから選択した番組を受信する。
【００２６】
ステップＳ６において、前記制御モジュール１０２は、ユーザーが選択した番組の関連情報の要請を前記インターネットテレビ端末２に発信し、且つ前記インターネットテレビ端末２から前記番組の関連情報を得る。具体的には、前記インターネットテレビ端末２は、前記番組の関連情報の要請を受けると、この要請を前記ＩＰＴＶサーバー３に転送する。前記ＩＰＴＶサーバー３は、前記要請に基づいて、前記番組の関連情報を前記インターネットテレビ端末２に発信し、前記インターネットテレビ端末２は前記番組の関連情報を前記ＩＰＴＶリモコン１に転送し、前記ＩＰＴＶリモコン１の制御モジュール１０２は転送されてきた番組の関連情報を得る。
【００２７】
ステップＳ７において、前記判断モジュール１００は、ユーザーがブラウズした番組の放映を選択したかどうかを判断する。ユーザーがブラウズした番組の放映を選択した場合、ステップＳ８を実行する。ユーザーがブラウズした番組の放映を選択しなかった場合、作業はここで終了する。
【００２８】
ステップＳ８において、前記制御モジュール１０２は、前記インターネットテレビ端末２に制御信号を送信して、前記インターネットテレビ端末２に、選択された番組の映像を放映させる。
【００２９】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３０】
１                  ＩＰＴＶリモコン
２                  インターネットテレビ端末
３                  ＩＰＴＶサーバー
１０                インターネットテレビの制御システム
１１                表示パネル
１００              判断モジュール
１０１              受信モジュール
１０２              制御モジュール
【図１】
2012170053.tif 000003
【図２】
2012170053.tif 000004
【図３】
2012170053.tif 000005